(57)【要約】  電気コネクタ組立体は、複数のキャビティを有するハウジングを含み、これらのキャビティは、複数のキャビティのそれぞれにコネクタを挿入する挿入軸に沿って延びる。ハウジングは、挿入軸に垂直に対して延びるスロットを有する。スロット内に保持ロックが挿入されて、ハウジング内で保持される。保持ロックは、複数のコネクタのそれぞれを各キャビティ内でロックする。
2011503823.tif 000002
【特許請求の範囲】
【請求項１】
ハウジング（１０６、１１６、３０６、３１６、５０６、５１６）と、保持ロック（１１０、１２０、３１０、３２０、５１０、５２０）とを含む電気コネクタ組立体（１０２、１０４、３０２、３０４、５０２、５０４）であって、
前記ハウジング（１０６、１１６、３０６、３１６、５０６、５１６）は、複数のキャビティ（１３４、３３４、３３６、４３４、４３６、５３４、５３６、５３８、６３４、６３６、６３８）を有し、
前記複数のキャビティが、前記複数のキャビティのそれぞれにコネクタ（１０８、１１８、３０８、３０９、３１８、３１９、５０７、５０８、５０９、５１７、５１８、５１９）を挿入する挿入軸（１１２、１２２）に沿って延び、
前記ハウジング（１０６、１１６、３０６、３１６、５０６、５１６）が、前記挿入軸（１１２、１２２）に対して垂直に延びるスロット（２１０、６８０）を有し、
前記ハウジング（１０６、１１６、３０６、３１６、５０６、５１６）が、その内部に、第１区域（２９０）およびより広い第２区域（２９２）を含むロックチャンバ（２１２、３８６、４９４、５８０、６８２）を有し、
前記保持ロック（１１０、１２０、３１０、３２０、５１０、５２０）は、前記スロット（２１０、６８０）内に挿入されて、前記ハウジング（１０６、１１６、３０６、３１６、５０６、５１６）内で保持されるものであり、かつ上部ラッチ（２７２、２４２、３７２、３８０、４７２、４８０、５７２、６７２）を有する分割中央柱（２６４、２３４、３６４、４６４、５６２、６６２）を備え、
前記上部ラッチ（２７２、２４２、３７２、３８０、４７２、４８０、５７２、６７２）が前記ロックチャンバ（２１２、３８６、４９４、５８０、６８２）の前記より広い第２区域（２９２）内でロックされるように、前記保持ロック（１１０、１２０、３１０、３２０、５１０、５２０）が、前記ロックチャンバ（２１２、３８６、４９４、５８０、６８２）を通過し、
前記保持ロック（１１０、１２０、３１０、３２０、５１０、５２０）が、前記複数のコネクタ（１０８、１１８、３０８、３０９、３１８、３１９、５０７、５０８、５０９、５１７、５１８、５１９）のそれぞれを各キャビティ（１３４、３３４、３３６、４３４、４３６、５３４、５３６、５３８、６３４、６３６、６３８）内でロックする、
電気コネクタ組立体（１０２、１０４、３０２、３０４、５０２、５０４）。
【請求項２】
前記ハウジング（１０６、１１６、３０６、３１６、５０６、５１６）が一次保持機構（１４０、１８０、３４０、３４２、４４０、４４２、５４０、５４２、６４０、６４２）を含み、
前記一次保持機構は、各コネクタ（１０８、１１８、３０８、３０９、３１８、３１９、５０７、５０８、５０９、５１７、５１８、５１９）を各キャビティ（１３４、３３４、３３６、４３４、４３６、５３４、５３６、５３８、６３４、６３６、６３８）内でロックする、請求項１に記載の電気コネクタ組立体。
【請求項３】
前記スロット（２１０、６８０）が少なくとも１つのレール（２１６、６８４）を含み、
前記レールは、前記挿入軸（１１２、１２２）と平行に前記スロット（２１０、６８０）を横切って延びる、請求項１に記載の電気コネクタ組立体。
【請求項４】
前記保持ロック（１１０、１２０、３１０、３２０、５１０、５２０）が少なくとも１つのスロット（２７８、２４８、３８４、４９２、５７８、６７８）を含み、
前記スロットは、前記少なくとも１つのレール（２１６、６８４）と位置整合し、前記少なくとも１つのレール（２１６、６８４）を受容する、請求項３に記載の電気コネクタ組立体。
【請求項５】
前記分割中央柱（２６４、２３４、３６４、４６４、５６２、６６２）が、互いの方へ屈曲可能な２つの中梁（２７０、２４０、３７０、４７０、５７０、６７０）を含む、請求項１に記載の電気コネクタ組立体。
【請求項６】
前記分割中央柱（２６４、２３４、３６４、４６４、５６２、６６２）が前記第１区域（２９０）を通って挿入されるにつれて、前記中梁（２７０、２４０、３７０、４７０、５７０、６７０）が互いの方へ偏り、かつ前記第２区域（２９２）では解放され、前記上部ラッチ（２７２、２４２、３７２、３８０、４７２、４８０、５７２、６７２）が、前記ハウジング上の棚部（２９４）と位置整合して、前記保持ロック（１１０、１２０、３１０、３２０、５１０、５２０）を前記ハウジング（１０６、１１６、３０６、３１６、５０６、５１６）内でロックする、請求項５に記載の電気コネクタ組立体。
【請求項７】
前記コネクタがそれぞれ係合表面（１５４、１９４、３４４、３５２、４４４、４５２、５４４、５５２、６４４、６５２）を有し、
前記保持ロック（１１０、１２０、３１０、３２０、５１０、５２０）が外側脚部（２６２、２６３、２３２、２３３、３６２、３６３、４６２、４６３、５５８、５６０、６５８、６６０）を含み、
前記外側脚部が、隣接する前記分割中央柱（２６４、２３４、３６４、４６４、５６２、６６２）と協働して前記コネクタの前記係合表面（１５４、１９４、３４４、３５２、４４４、４５２、５４４、５５２、６４４、６５２）と係合する、請求項１に記載の電気コネクタ組立体。
【請求項８】
前記コネクタ（１０８、１１８、３０８、３０９、３１８、３１９、５０７、５０８、５０９、５１７、５１８、５１９）の少なくとも１つが、ワイヤ端子コネクタ（３０９、３１９、５０８、５１８）であり、
前記ハウジング（３０６、３１６、５０６、５１６）が、前記ワイヤ端子コネクタ（３０９、３１９、５０８、５１８）と係合する一次ラッチ（３４２、５４２、６４２）を有し、
前記保持ロック（３１０、３２０、５１０、５２０）が、前記一次ラッチ（３４２、５４２、６４２）と係合して前記一次ラッチを二次的にロックする脚部（３８２、５６４、６６４）を有する、請求項１に記載の電気コネクタ組立体。
【請求項９】
前記コネクタ（１０８、１１８、３０８、３０９、３１８、３１９、５０７、５０８、５０９、５１７、５１８、５１９）の少なくとも１つが、前記コネクタキャビティのうちの１つ内に受容されて前記一次保持機構（１４０、１８０、３４０、３４２、４４０、４４２、５４０、５４２、６４０、６４２）のうちの１つによって前記コネクタキャビティのうちの１つ内で保持されるＳＭＢコネクタ（１０８、１１８、３０８、３１８、５０７、５０９、５１７、５１９）であり、
前記ＳＭＢコネクタが、円筒形の本体およびロック係合表面（１５４、１９４、３４４、４５２、５４４、６４４）を有するとともに、
前記コネクタ（１０８、１１８、３０８、３０９、３１８、３１９、５０７、５０８、５０９、５１７、５１８、５１９）の少なくとも１つが、前記コネクタキャビティのうちの１つ内に受容されたワイヤ端子コネクタ（３０９、３１９、５０８、５１８）であり、
前記ワイヤ端子コネクタが、ロック係合表面（３５２、４５２、５５２、６５２）を有し、
前記一次保持機構（３４２、４４２、５４２、６４２）のうちの１つが、前記ワイヤ端子コネクタの前記ロック係合表面と係合し、かつ
前記ロックチャンバ（２１２、３８６、４９４、５８０、６８２）内に受容されて前記コネクタ（１０８、１１８、３０８、３０９、３１８、３１９、５０７、５０８、５０９、５１７、５１８、５１９）のそれぞれを前記それぞれのコネクタキャビティ（１３４、３３４、３３６、４３４、４３６、５３４、５３６、５３８、６３４、６３６、６３８）内で保持する前記保持ロック（１１０、１２０、３１０、３２０、５１０、５２０）が、第１脚部と、第２脚部とを備え、
前記第１脚部は前記ＳＭＢコネクタの前記ロック係合表面と係合して前記ＳＭＢコネクタを前記コネクタキャビティ内で保持し、
前記第２脚部は前記ワイヤ端子コネクタの前記ロック係合表面と係合する前記一次保持機構と係合して前記一次保持機構を二次的にロックする、請求項１に記載の電気コネクタ組立体。
【請求項１０】
前記一次保持機構（３４２、４４２、５４２、６４２）が、前記ワイヤ端子コネクタ（３０９、３１９、５０８、５１８）と前記第２脚部との間に配置される、請求項７に記載の電気コネクタ組立体。
【発明の詳細な説明】
【技術分野】
【０００１】
本願の主題は、一般に電気コネクタに関し、より詳細には内部保持機構を有する多位置コネクタ組立体に関する。
【背景技術】
【０００２】
無線周波数（ＲＦ）同軸ケーブルコネクタ組立体は、グローバル・ポジショニング・システム（ＧＰＳ）、自動車無線、移動電話、エアバッグ警報システム、およびマルチメディアデバイスなどの多数の自動車用用途に使用されてきた。同軸ケーブルは通常、外部導体、内部導体、誘電体、および被覆物(ｊａｃｋｅｔ)からなる。ケーブルの外部導体および内部導体は、ジャックコネクタおよびプラグコネクタを通じて相手側同軸ケーブルと電気的に接続することが多い。そのような従来の同軸ケーブルコネクタは、当技術分野では、たとえば米国特許第６，６７６，４４５号および第６，８２４，４０３号で知られている。同特許は、本発明の譲受人に譲渡されており、参照により本明細書に組み込むことを明示する。
【０００３】
他のタイプの電気コネクタは、ワイヤを終端させるのに使用されるワイヤ端子コンタクトを有する。たとえば、ワイヤコンタクトは、ワイヤを終端させるための圧着端部と、雄型嵌合端部または雌型嵌合端部とを有してもよい。いくつかのコンタクトは、金属めっきを打ち抜いて、適当な形状に折り畳み、または適当な形状に形成することによって作製可能である。これらのコンタクトは、略箱状の嵌合端部を有する。この略箱状の嵌合端部は、ピンまたは刃型の嵌合端部を有するコンタクトと嵌合する。コンタクトの箱状嵌合端部は、コネクタキャビティ内に嵌合するための外寸および形状要件、ならびに相手側コンタクトのピンまたは刃状のコンタクトを受容して保持するための機械的かつ電気的接続手段を備えた内部設計を有する。略箱状の嵌合端部を有する現在のコンタクトでは、コンタクト梁または適合した梁(ｃｏｍｐｌｉａｎｔ  ｂｅａｍ)が、ピンコンタクトを受容して保持する手段となりうる。
【０００４】
特定の自動車用用途では、単一のコネクタ組立体を介して複数のケーブルおよび／またはワイヤを結合させる必要があることがある。たとえば、多位置コネクタ組立体を使用して、２つの同軸ジャックコネクタを２つの同軸プラグコネクタと電気的に結合させることができる。同様に、１つのコネクタ組立体を使用して、１つの同軸コネクタと１つのワイヤ端子コネクタを電気的に結合させることができる。
【０００５】
通常、電気コネクタ組立体は、電気コネクタをハウジング内部に固定するために、ハウジング内に保持手段を有する。そのようなリテーナ（ｒｅｔａｉｎｅｒ）の１つとして、コネクタ上の定位置に移動してコネクタを定位置にロックするように構成されたプラスチック可動部材がある。そのような可動部材には、軸方向に対して横断するように移動するものもあれば、定位置へ回転する蝶番フラップ（ｈｉｎｇｅｄ  ｆｌａｐ）として設計されるものもある。そのような電気コネクタ組立体の例としては、米国特許第７，３４７，７４５号、米国特許第７，２２３，１３１号、および米国特許第７，３４７，７４２号が挙げられる。
【発明の概要】
【発明が解決しようとする課題】
【０００６】
しかしながら、これらのリテーナがコネクタハウジング上に配置される可能性があり、これによってコネクタに必要な空間が増大しうることが課題として挙げられる。さらに、これらのリテーナは、ハウジングから取り外すのが困難であるかもしれない。さらに、保持手段を正しく挿入するために、ハウジング内部で電気コネクタの位置調整が必要となる。
【課題を解決するための手段】
【０００７】
この課題に対する解決策は、内部保持機構を有し、組み立てが容易な、本願に開示される電気コネクタ組立体によって提供される。この電気コネクタ組立体は、複数のキャビティを有するハウジングを含む。これらのキャビティは、複数のキャビティのそれぞれにコネクタを挿入するための挿入軸に沿って延びる。ハウジングは、挿入軸に対して垂直に延びるスロットを有する。また、このハウジングは、第１区域およびより広い第２区域を含むロックチャンバをそのハウジング内に有する。保持ロックはスロット内に挿入され、ハウジング内で保持される。保持ロックは上部ラッチを備えた分割中央柱（ｓｐｌｉｔ  ｃｅｎｔｅｒ  ｐｏｓｔ）を有する。また、上部ラッチがロックチャンバのより広い第２区域内でロックされるように、保持ロックがロックチャンバを通過する。保持ロックによって、複数のコネクタのそれぞれが各キャビティ内でロックされる。
【０００８】
次に、添付の図面を参照して、本発明を例示する。
【図面の簡単な説明】
【０００９】
【図１】図１は、電気コネクタシステムの組立後の斜視図であり、例示的なジャック組立体および例示的なプラグ組立体を示す図である。
【図２】図２は、図１に示す電気コネクタシステムの分解斜視図である。
【図３】図３は、図１および図２に示すジャック組立体におけるジャックハウジングの底面斜視図である。
【図４】図４は、プラグ組立体に用いられる保持ロックの例示的な実施形態を示す斜視側面図である。
【図５】図５は、ジャック組立体に用いられる保持ロックの代替実施形態を示す斜視側面図である。
【図６】図６は、ジャック組立体の斜視切欠図である。
【図７】図７は、ジャック組立体を示す他の斜視切欠図である。
【図８】図８は、ジャック組立体の横断面図であり、保持ロックの一部分を切り取った図である。
【図９】図９は、代替電気コネクタシステムの斜視図であり、代替ジャック組立体および代替プラグ組立体を示す図である。
【図１０】図１０は、図９に示すジャック組立体の分解斜視図である。
【図１１】図１１は、図９に示すジャック組立体の斜視切欠図である。
【図１２】図１２は、図９に示すプラグ組立体の分解斜視図である。
【図１３】図１３は、図９に示すプラグ組立体の斜視切欠図である。
【図１４】図１４は、図９に示すプラグ組立体の正面図である。
【図１５】図１５は、別の代替電気コネクタシステムの組立後の底面斜視図であり、代替ジャック組立体および代替プラグ組立体を示す図である。
【図１６】図１６は、図１５に示すジャック組立体の分解斜視図である。
【図１７】図１７は、図１６に示すジャック組立体の斜視切欠図である。
【図１８】図１８は、図１５に示すプラグ組立体の分解斜視図である。
【図１９】図１９は、図１５に示すプラグ組立体におけるプラグハウジングの底面斜視図である。
【図２０】図２０は、図１８に示すプラグ組立体の斜視切欠図である。
【発明を実施するための形態】
【００１０】
図１は、電気コネクタシステム１００の組立後の斜視図であり、例示的なジャック組立体１０２および例示的なプラグ組立体１０４を示す図である。ジャック組立体１０２とプラグ組立体１０４はともに嵌合されて、それらの間に電気的接続を形成する。ジャック組立体１０２は、ジャックハウジング１０６と、ジャックハウジング１０６内に受容された複数のジャックコネクタ１０８とを含む。ジャックコネクタ１０８をジャックハウジング１０６内に固定するために、ジャック保持ロック１１０が使用される。プラグ組立体１０４は、プラグハウジング１１６と、プラグハウジング１１６内に受容された複数のプラグコネクタ１１８（図２に示す）とを含む。プラグコネクタ１１８をプラグハウジング１１６内に固定するために、プラグ保持ロック１２０が使用される。
【００１１】
１つのコネクタシステム１００を使用して複数の接続を行うために、ジャック組立体１０２は複数のジャックコネクタ１０８を含み、プラグ組立体１０４は複数のプラグコネクタ１１８を含む。図示の実施形態では、ジャック組立体１０２およびプラグ組立体１０４は、２つのジャックコネクタ１０８、２つのプラグコネクタ１１８をそれぞれ保持する２位置組立体を画定する。ジャックコネクタ１０８およびプラグコネクタ１１８は、信号コネクタまたは電源コネクタ、たとえば同軸ケーブルコネクタまたはワイヤ終端型コネクタとすることができる。図示の実施形態では、コネクタシステム１００は、グローバル・ポジショニング・システム（ＧＰＳ）、自動車無線システム、移動電話システム、エアバッグ警報システム、マルチメディアデバイスシステムなど、自動車用用途に使用される無線周波数（ＲＦ）同軸ケーブルコネクタシステムである。但し、本願の主題は、自動車用用途のためのコネクタシステムに限定されるものではなく、図示したコネクタシステム１００は１つの例示的な実施形態である。なお、ジャックハウジング１０６およびプラグハウジング１１６ならびにジャックコネクタ１０８およびプラグコネクタ１１８は、ＦＡＫＲＡ規格などの規格を満たすように設計された嵌合面を画定してもよい。
【００１２】
図２は、電気コネクタシステム１００の分解斜視図であり、ジャック組立体１０２とプラグ組立体１０４の両者を示す図である。図２は、ジャックハウジング１０６と、コネクタ挿入軸１１２に沿ってジャックハウジング１０６内に装着されるジャックコネクタ１０８とを示す。ジャック保持ロック１１０はロック挿入軸１１４に沿った挿入方向でジャックハウジング１０６内へ装着されるが、その装着前にジャックハウジング１０６と位置合わせした状態のジャック保持ロック１１０を示す。図２はまた、プラグハウジング１１６と、コネクタ挿入軸１２２に沿ってプラグハウジング１１６内に装着されるプラグコネクタ１１８とを示す。プラグ保持ロック１２０はロック挿入軸１２４に沿った挿入方向でプラグハウジング１１６内へ装着されるが、その装着前にプラグハウジング１１６と位置合わせした状態のプラグ保持ロック１２０を示す。
【００１３】
ジャックハウジング１０６は、嵌合部１３０およびコネクタ保持部１３２を含む。コネクタキャビティ１３４は挿入軸１１２に沿って延び、嵌合部１３０およびコネクタ保持部１３２の両方を通過する。コネクタキャビティ１３４はジャックコネクタ１０８を受容し、ジャックハウジング１０６とジャック保持ロック１１０は協働して、コネクタキャビティ１３４内でジャックコネクタ１０８を保持する。図示の２位置コネクタシステム１００では、ジャック組立体１０２は、２つのジャックコネクタ１０８を保持する２つのコネクタキャビティ１３４を含む。嵌合部１３０はプラグハウジング１１６に嵌合する。プラグ組立体１０４との適切な位置合わせを保証するため、および／または正しいプラグ組立体１０４との嵌合を検証するために、嵌合部１３０はキーイング機構１３６を有することができる。嵌合部１３０は、ジャック組立体１０２をプラグ組立体１０４に固定する留め具１３８を有することができる。
【００１４】
コネクタ保持部１３２は、ジャックコネクタ１０８をコネクタキャビティ１３４内に配置して保持する少なくとも１つの一次保持機構１４０を含む。例示的な実施形態では、ジャックハウジング１０６が、各コネクタキャビティ１３４に対して一次保持機構１４０を含む。一次保持機構１４０は、コネクタ保持部１３２の外側表面１４２から延びる湾曲した梁であり、ジャックハウジング１０６内の開口部１４４を通過して、コネクタキャビティ１３４内に配置されたロック端部１４６まで延びる。一次保持機構１４０は、ジャック保持ロック１１０が最終位置に配置されるまで、ジャックコネクタ１０８を組込位置内で保持する。一次保持機構１４０とジャック保持ロック１１０は協働して、ジャックハウジング１０６内でジャックコネクタ１０８を保持する。
【００１５】
各ジャックコネクタ１０８は、外側表面１５２を有する本体１５０を含む。例示的な実施形態では、複数のジャックコネクタ１０８は互いに同一であるが、代替実施形態では、複数のジャックコネクタ１０８は互いに異なってもよい。図示の実施形態では、ジャックコネクタ１０８は無線周波数回路用のサブミニチュア版Ｂ（ＳＭＢ）コネクタであるが、代替実施形態では、他のタイプのコネクタを使用してもよい。ジャックコネクタ１０８は同軸ケーブルコネクタとすることができるが、同軸ケーブルコネクタに限定されるものではない。本体１５０の外側表面１５２は、挿入軸１１２と一致する中心軸に沿って略円筒形である。外側表面１５２には、本体１５０の長さに沿って段が形成されている。このため、本体１５０は、その長さに沿って均一な断面を有するものではない。以下にさらに詳述するように、外側表面１５２は、保持ロック１１０および／または一次保持機構１４０と係合するように構成された少なくとも１つのロック係合表面１５４を画定する。図示の実施形態では、ジャックコネクタ１０８は、前部および後部肩部１５８を有する円周溝１５６を含む。円周溝１５６および肩部１５８が、ロック係合表面１５４を画定する。例示的な実施形態では、ジャックコネクタ１０８は、嵌合端部１６０とケーブル終端端部１６２との間で延びる。ジャックコネクタ１０８は、内部導体（図示せず）および外部導体１６６を含む。
【００１６】
プラグハウジング１１６はジャックハウジング１０６に類似しているが、ジャックハウジング１０６が留め具１３８を含むのに対し、プラグハウジング１１６はラッチ組立体１６８を含む。ラッチ組立体１６８は、留め具１３８に対応する開口部を備えており、ジャック組立体１０２がプラグ組立体１０４に嵌合されると、留め具１３８はラッチ組立体１６８内で保持されて、ジャックハウジング１０６をプラグハウジング１１６に固定する。
【００１７】
プラグハウジング１１６は、嵌合部１７０およびコネクタ保持部１７２を含む。コネクタキャビティ１７４は挿入軸１２２に沿って延び、嵌合部１７０およびコネクタ保持部１７２の両方を通過する。コネクタキャビティ１７４はプラグコネクタ１１８を受容し、プラグハウジング１１６とプラグ保持ロック１２０は協働して、コネクタキャビティ１７４内でプラグコネクタ１１８を保持する。図示の２位置コネクタシステム１００では、プラグ組立体１０４は、２つのプラグコネクタ１１８を保持する２つのコネクタキャビティ１７４を含む。嵌合部１７０はジャックハウジング１０６に嵌合する。ジャック組立体１０２との適切な位置合わせを保証するため、および／または正しいジャック組立体１０２との嵌合を検証するために、嵌合部１７０はキーイング機構１７６を有することができる。嵌合部１７０およびコネクタ保持部１７２は、ジャック組立体１０２をプラグ組立体１０４に固定するラッチ組立体１６８を含む。
【００１８】
コネクタ保持部１７２は、プラグコネクタ１１８をコネクタキャビティ１７４内に配置して保持する少なくとも１つの一次保持機構１８０を含む。例示的な実施形態では、プラグハウジング１１６は、各コネクタキャビティ１７４に対して一次保持機構１８０を含む。一次保持機構１８０は、各コネクタキャビティ１７４に対して同じものとすることができる。一次保持機構１８０は、コネクタ保持部１７２の外側表面１８２から延びる湾曲した梁であり、プラグハウジング１１６内の開口部１８４を通過して、コネクタキャビティ１７４内に配置されたロック端部１８６まで延びる。一次保持機構１８０は、プラグ保持ロック１２０が最終位置に配置されるまで、プラグコネクタ１１８を組込位置内で保持する。一次保持機構１８０とプラグ保持ロック１２０は協働して、プラグハウジング１１６内でプラグコネクタ１１８を保持する。
【００１９】
各プラグコネクタ１１８は、外側表面１９２を有する本体１９０を含む。例示的な実施形態では、複数のプラグコネクタ１１８は互いに同一であるが、代替実施形態では、複数のプラグコネクタ１１８は互いに異なってもよい。図示の実施形態では、プラグコネクタ１１８はＳＭＢコネクタであるが、代替実施形態では、他のタイプのコネクタを使用してもよい。また、異なるタイプのコネクタに対して一次保持機構１８０が異なってもよい。本体１９０の外側表面１９２は、挿入軸１２２と一致する中心軸に沿って略円筒形である。外側表面１９２には、本体１９０の長さに沿って段が形成されている。このため、本体１５０は、その長さに沿って均一な断面を有するものではない。以下にさらに詳述するように、外側表面１９２は、保持ロック１２０および／または一次保持機構１８０と係合するように構成された少なくとも１つのロック係合表面１９４を画定する。図示の実施形態では、プラグコネクタ１１８は、前部および後部肩部１９８を有する円周溝１９６を含む。円周溝１９６および肩部１９８が、ロック係合表面１９４を画定する。例示的な実施形態では、プラグコネクタ１１８は、嵌合端部２００とケーブル終端端部２０２との間で延びる。プラグコネクタ１１８は内部導体（図示せず）および外部導体２０６を含み、これらがジャックコネクタ１０８の内部導体よび外部導体と嵌合する。
【００２０】
図３は、ジャック組立体１０２（図１および図２に示す）におけるジャックハウジング１０６の底面斜視図である。ジャックハウジング１０６のコネクタ保持部１３２は、外側表面１４２内にスロット２１０を含み、スロット２１０は、ジャックハウジング１０６内に画定されたロックチャンバ２１２に通じている。ロックチャンバ２１２は、コネクタキャビティ１３４のそれぞれに通じている。スロット２１０は、挿入軸１１２に対して垂直に、ジャックハウジング１０６を横切って延びる。例示的な実施形態では、スロット２１０は、両方のコネクタキャビティ１３４にわたって延びる。スロット２１０は、各端部に、ジャック保持ロック１１０（図１に示す）を位置合わせするための溝２１４を含む。ジャックハウジング１０６は、スロット２１０を横切って挿入軸１１２方向に延びる少なくとも１つのレール２１６を含む。なお、各レール２１６を、各コネクタキャビティ１３４の中心と概ね位置合わせしてもよい。以下にさらに説明するように、レール２１６は、ジャックコネクタ１０８および／またはジャック保持ロック１１０をジャックハウジング１０６内に取り付けるのに役立つ。
【００２１】
図４は、プラグ組立体１０４（図１に示す）に用いられる保持ロック１２０の例示的な実施形態の斜視側面図である。保持ロック１２０は、下梁２３０、第１外側脚部２３２および第２外側脚部２３３、ならびに分割中央柱２３４を有する。外側脚部２３２、２３３は、略弓形の内側表面２３６および略弓形の外側表面２３８を有する。外側表面２３８は、プラグハウジング１１６（図１に示す）に結合されたときにプラグハウジング１１６の形状を補完するような形状となっている。外側脚部２３２、２３３と柱２３４は協働して、プラグハウジング１１６内にプラグコネクタ１１８（図２に示す）を固定する。分割中央柱２３４は、隣接する２つの中梁２４０を含む。中梁２４０は、下梁２３０に対して垂直に、上部ラッチ２４２まで延びる。中梁２４０は、互いの方へ屈曲可能である。各上部ラッチ２４２は、上側傾斜表面２４４およびラッチ表面２４６を含む。
【００２２】
保持ロック１２０は、下梁２３０内に形成された２つのスロット２４８を含む。スロット２４８は、外側脚部２３２と柱２３４との間、および外側脚部２３３と柱２３４との間に配置される。スロット２４８は、プラグハウジング１１６のレール２１６（図３に示す）と位置整合するように配置される。保持ロック１２０は、各外側脚部２３２、２３３の外側表面２３８上にガイドレール２５０をさらに含む。ガイドレール２５０は、それぞれの外側脚部２３２、２３３の先端部２５２近傍に配置される。ガイドレール２５０は、プラグハウジング１１６のスロット２１０内の溝２１４と位置整合して、保持ロック１２０とプラグハウジング１１６との適切な位置合わせを保証する。なお、保持ロック１２０が、下梁２３０および／または中梁２４０に沿ってクラッシュパッド（ｃｒｕｓｈ  ｐａｄ）２５８を含むようにしてもよい。クラッシュパッド２５８は、プラグハウジング１１６と係合して、プラグハウジング１１６内で保持ロック１２０を保持するのを助けることができる。
【００２３】
図５は、ジャック組立体１０２（図１に示す）に用いられる保持ロック１１０の斜視側面図である。保持ロック１１０は保持ロック１２０（図４に示す）に類似しているが、保持ロック１１０は本体把持設備（ｂｏｄｙ  ｃｌｉｐ  ｐｒｏｖｉｓｉｏｎ）２５４を含む。本体把持設備２５４は、枠、シャーシ、ブラケット、または他の支持構造に取り付けるための開口部２５６を含む。保持ロック１１０と保持ロック１２０は互換性があり、ジャック組立体１０２またはプラグ組立体１０４内で、保持ロック１１０または保持ロック１２０のいずれを用いてもよいことが理解される。図示の実施形態では、保持ロック１１０がジャック組立体１０２内に組み込まれ、保持ロック１２０がプラグ組立体１０４内に組み込まれるが、保持ロック１１０、１２０は、ジャック組立体１０２またはプラグ組立体１０４のどちらとも区別なく使用することができる。
【００２４】
保持ロック１１０は、下梁２６０、第１外側脚部２６２および第２外側脚部２６３、ならびに分割中央柱２６４を有する。外側脚部２６２、２６３は、略弓形の内側表面２６６および略弓形の外側表面２６８を有する。外側表面２６８は、ジャックハウジング１０６（図１に示す）に結合されたときにジャックハウジング１０６の形状を補完するような形状となっている。外側脚部２６２、２６３と柱２６４は協働して、ジャックハウジング１０６内にジャックコネクタ１０８（図１に示す）を固定する。分割中央柱２６４は、２つの隣接する中梁２７０を含む。中梁２７０は、下梁２６０に対して垂直に、上部ラッチ２７２まで延びる。中梁２７０は、互いの方へ屈曲可能である。各上部ラッチ２７２は、上側傾斜表面２７４およびラッチ表面２７６を含む。
【００２５】
保持ロック１１０は、下梁２６０内に形成された２つのスロット２７８を含む。スロット２７８は、外側脚部２６２と柱２６４との間、および外側脚部２６３と柱２６４との間に配置される。スロット２７８は、ジャックハウジング１０６のレールと位置整合するように配置される。保持ロック１１０は、各外側脚部２６２、２６３の外側表面２６８上にガイドレール２８０をさらに含む。ガイドレール２８０は、それぞれの外側脚部２６２、２６３の先端部２８２近傍に配置される。ガイドレール２８０は、ジャックハウジング１０６内に形成されたスロット内の溝と位置整合し、保持ロック１１０とジャックハウジング１０６との適切な位置合わせを保証する。なお、保持ロック１１０が、下梁２６０および／または中梁２７０に沿ってクラッシュパッド２８８を含むようにしてもよい。クラッシュパッド２８８は、ジャックハウジング１０６と係合して、ジャックハウジング１０６内で保持ロック１１０を保持するのを助けることができる。
【００２６】
図１〜図５を参照すると、電気コネクタシステム１００の例示的な組立動作は、ジャック組立体１０２を組立てるステップと、プラグ組立体１０４を組立てるステップと、次いでジャック組立体１０２とプラグ組立体１０４を嵌合させるステップとを含む。ジャック組立体１０２およびプラグ組立体１０４の組立は類似しており、この組立動作について、ジャック組立体１０２を参照して説明する。
【００２７】
ジャックコネクタ１０８は、挿入軸１１２に沿ってコネクタ保持部１３２を通って嵌合部１３０内に入り、コネクタキャビティ１３４内に装着される。装着された位置では、一次保持機構１４０が、ジャックコネクタ１０８をコネクタキャビティ１３４内で保持する。装着中、ジャックコネクタ１０８は、ジャックハウジング１０６のスロット２１０内に引っ掛かりまたは落ち込む傾向を有することがある。ジャックコネクタ１０８がスロット２１０内に入るのを防止するために、レール２１６がスロット２１０を横切って配置される。したがって、レール２１６は、コネクタキャビティ１３４内のほぼ中心にジャックコネクタ１０８が位置決めされるようにジャックコネクタ１０８を保持する。例示的な実施形態では、スロット２１０は、一次保持機構１４０にほぼ対向するように配置される。ジャックコネクタ１０８がジャックハウジング１０６内に装着されるとすぐに、保持ロック１１０がジャックハウジング１０６内に装着される。以下にさらに詳述するように、また図７に示すように、保持ロック１１０は、スロット２１０を通ってロックチャンバ２１２内に入り、ジャックハウジング１０６内に装着される。上部ラッチ２７２は、保持ロック１１０をロックチャンバ２１２内で固定する。装着されると、保持ロック１１０はロック係合表面１５４と係合する。図示の実施形態では、保持ロック１１０は溝１５６内に嵌合して、ジャックコネクタ１０８をコネクタキャビティ１３４内で固定する。保持ロック１１０がスロット２１０内に挿入されると、外側脚部２６２、２６３上のガイドレール２８０は、ジャックハウジング１０６の溝２１４内で摺動する。
【００２８】
図６は、組み立てた状態のジャック組立体１０２の斜視切欠図である。ジャックコネクタ１０８は、コネクタキャビティ１３４内に装着される。図６は、ジャックコネクタ１０８を支持するコネクタ保持部１３２を示す。ジャックコネクタ１０８およびコネクタ保持部１３２の表面は、ジャックコネクタ１０８がジャックハウジング１０６内で正しく配置されるような相互補完的な形状となっている。図６はまた、ジャックコネクタ１０８と係合する一次保持機構１４０を示す。例示的な実施形態では、一次保持機構１４０のロック端部１４６はコネクタキャビティ１３４内に配置され、円周溝１５６内に延びて前部肩部１５８と係合する。
【００２９】
図７は、組み立てた状態のジャック組立体１０２を示す他の斜視切欠図であり、ロックチャンバ２１２内に配置された保持ロック１１０を示す図である。組み立てたとき、保持ロック１１０は、ジャックコネクタ１０８のロック係合表面１５４と係合する。例示的な実施形態では、保持ロック１１０の外側脚部２６２は、ジャックコネクタ１０８の外側部分に沿って溝１５６内に配置され、保持ロック１１０の柱２６４は、ジャックコネクタ１０８の内側部分に沿って溝１５６内に配置される。柱２６４の一部分を、切り取った形で図７に示す。
【００３０】
ジャックハウジング１０６のロックチャンバ２１２は、ジャックハウジング１０６のほぼ中央に、第１区域２９０およびより広い第２区域２９２を有する中央開口部を含む。第２区域２９２は、ジャックハウジング１０６の上部に沿って開口している。これは、例えば上部ラッチ２７２を解放して保持ロック１１０をジャックハウジング１０６から取り外す際に、ジャックハウジング１０６の外部から上部ラッチ２７２にアクセスできるようにするためである。棚部（ｌｅｄｇｅ）２９４は、第１区域２９０と第２区域２９２との合流箇所に配置される。ジャックハウジング１０６における中央開口部の第１区域２９０を通って傾斜表面２７４が挿入されるので、保持ロック１１０がジャックハウジング１０６内に挿入されるにつれて、分割中央柱２６４の中梁２７０は互いの方へ偏る。上部ラッチ２７２が中央開口部の第２区域２９２内に入ると、分割中央柱２６４の梁２７０が解放されてラッチ表面２７６が棚部２９４上に位置する。これによって、保持ロック１１０がジャックハウジング１０６内で固定される。
【００３１】
図８は、ジャック組立体１０２の横断面図であり、保持ロック１１０の一部分を切り取った図である。保持ロック１１０は、ジャックハウジング１０６内のスロット２１０を通ってロックチャンバ２１２内に装着される。図８は、スロット２１０にまたがるレール２１６を示す。レール２１６は、保持ロック１１０の下梁２６０内のスロット２７８内に少なくとも部分的に受容される。図示の実施形態では、スロット２７８は、外側脚部２６２と柱２６４との間、外側脚部２６３と柱２６４との間で実質上中央に配置される。但し、代替実施形態では、スロット２７８を柱２６４のさらに近傍に、またはそれぞれの外側脚部２６２、２６３のさらに近傍に配置してもよい。
【００３２】
図８は、ジャックコネクタ１０８の後部肩部１５８を示し、保持ロック１１０は溝１５６内に受容されている。保持ロック１１０の外側脚部２６２は、ジャックコネクタ１０８の外側部分に沿って溝１５６内に配置される。保持ロック１１０の柱２６４は、ジャックコネクタ１０８の内側部分に沿って溝１５６内に配置される。例示的な実施形態では、外側脚部２６２と柱２６４は協働してロック係合表面１５４と円周方向に係合し、本体１５０の約半周を取り囲む。
【００３３】
図９は、代替電気コネクタシステム３００の斜視図であり、代替ジャック組立体３０２および代替プラグ組立体３０４を示す図である。ジャック組立体３０２とプラグ組立体３０４はともに嵌合されて、それらの間に電気的接続を形成する。ジャック組立体３０２は、ジャックハウジング３０６と、ジャックハウジング３０６内に受容されたジャックコネクタ３０８、３０９（図１０に示す）とを含む。ジャックコネクタ３０８、３０９は、ワイヤ端部にケーブルで取り付け、または終端させることができる。ジャックハウジング３０６内でジャックコネクタ３０８、３０９を固定するために、ジャック保持ロック３１０が使用される。プラグ組立体３０４は、プラグハウジング３１６と、プラグハウジング３１６内に受容された複数のプラグコネクタ３１８、３１９（図１２に示す）とを含む。プラグコネクタ３１８、３１９は、ワイヤ端部にケーブルで取り付け、または終端させることができる。プラグハウジング３１６内でプラグコネクタ３１８、３１９を固定するために、プラグ保持ロック３２０が使用される。
【００３４】
コネクタシステム３００は、ジャック組立体３０２およびプラグ組立体３０４が、それぞれ２つの異なるタイプのジャックコネクタ３０８、３０９およびプラグコネクタ３１８、３１９を有することを除き、図１に示すコネクタシステム１００に類似している。なお、一方のジャックコネクタ３０８および一方のプラグコネクタ３１８が、ジャックコネクタ１０８およびプラグコネクタ１１８（図２に示す）に実質上類似していてもよい。但し、他方のジャックコネクタ３０９および他方のプラグコネクタ３１９は、ジャックコネクタ１０８およびプラグコネクタ１１８とは異なる。図示の実施形態では、ジャックコネクタ３０９およびプラグコネクタ３１９は、ＳＭＢ型コネクタではなく、ワイヤ端子型コネクタである。したがって、保持ロック３１０、３２０が保持ロック１１０、１２０（図１に示す）と同様に動作する場合でも、ジャックハウジング３０６およびプラグハウジング３１６の構成はジャックハウジング１０６およびプラグハウジング１１６（図１に示す）とは異なり、保持ロック３１０、３２０の構成は保持ロック１１０、１２０の構成とは異なる。
【００３５】
図１０は、ジャック組立体３０２の分解斜視図である。ジャックハウジング３０６は、嵌合部３３０およびコネクタ保持部３３２を含む。第１コネクタキャビティ３３４および第２コネクタキャビティ３３６は、嵌合部３３０およびコネクタ保持部３３２を通って延びる。コネクタキャビティ３３４、３３６は、それぞれジャックコネクタ３０８、３０９を受容する。ジャックハウジング３０６とジャック保持ロック３１０は協働して、コネクタキャビティ３３４、３３６内でジャックコネクタ３０８、３０９を保持する。例示的な実施形態では、ジャックコネクタ３０８、３０９が互いに位置決めされるように、コネクタキャビティ３３４、３３６は共通の中心線に沿って概ね位置決めされる。
【００３６】
例示的な実施形態では、コネクタ保持部３３２は、ジャックコネクタ３０８をコネクタキャビティ３３４内に配置して保持するために、第１コネクタキャビティ３３４内に延びる一次保持機構３４０を含む。一次保持機構３４０は、一次保持機構１４０（図２に示す）に類似したものとすることができる。以下にさらに詳述するように、一次ラッチ３４２（図１１に示す）によって表される異なるタイプの一次保持機構が、ジャックコネクタ３０９を配置して保持するために第２コネクタキャビティ３３６内に延びる。一次保持機構３４０、３４２は、ジャックコネクタ３０８、３０９を組込位置内で保持し、ジャック保持ロック３１０と協働して、ジャックコネクタ３０８、３０９をそれぞれのコネクタキャビティ３３４、３３６内でロックする。
【００３７】
図示の実施形態では、第１ジャックコネクタ３０８は、ＳＭＢ型コネクタによって表される。第１ジャックコネクタ３０８は、保持ロック３１０および／または一次保持機構３４０と係合するように構成されたロック係合表面３４４を含む。第１ジャックコネクタ３０８は、円周溝３４６を含む。第２ジャックコネクタ３０９は、ジャック・ワイヤ端子型コネクタによって表される。第２ジャックコネクタ３０９は、圧着接続などによってワイヤ端部に終端される。ジャックコネクタ３０９はコネクタ本体３５０を含み、コネクタ本体３５０はその後端部近傍にロック係合表面３５２を有する。ジャックコネクタ３０９は、本体３５０の前部から延びるピン３５４を含む。ピン３５４は、プラグコネクタ３１９（図１２に示す）と嵌合するように構成される。
【００３８】
保持ロック３１０は、下梁３６０上に本体把持設備３５８を含む本体把持タイプの保持ロックである。保持ロック３１０はまた、第１外側脚部３６２および第２外側脚部３６３、ならびに分割中央柱３６４を含む。第１外側脚部３６２は、略弓形の内側表面３６６および略弓形の外側表面３６８を有する。外側表面３６８は、ジャックハウジング３０６に結合されたときにジャックハウジング３０６の形状を補完するような形状となっている。第１外側脚部３６２と柱３６４は協働して、ジャックハウジング３０６内でジャックコネクタ３０８を固定する。分割中央柱３６４は、隣接する２つの中梁３７０を含む。中梁３７０は、下梁３６０に対して垂直に、上部ラッチ３７２まで延びる。中梁３７０は、互いの方へ屈曲可能である。各上部ラッチ３７２は、上側傾斜表面３７４およびラッチ表面３７６を含む。
【００３９】
第２外側脚部３６３は、上部ラッチ３８０を有するラッチ脚部３７８と、ロック梁３８２とを含む。ロック梁３８２は、第２外側脚部３６３に隣接し、下梁３６０に対して垂直に延びる。第２外側脚部３６３は実質上平面であり、下梁３６０から垂直に延びる。例示的な実施形態では、第２外側脚部３６３は、柱３６４と略平行である。
【００４０】
保持ロック３１０は、下梁３６０内に形成された２つのスロット３８４を含む。スロット３８４は、外側脚部３６２と柱３６４との間、および外側脚部３６３と柱３６４との間に配置される。図示の実施形態では、スロット３８４は、柱３６４に隣接して配置される。スロット３８４は、ジャックハウジング３０６のレールと位置整合するように配置される。これらのレールは、ジャックハウジング１０６のレール２１６（図３に示す）に類似している。
【００４１】
図１１は、ジャック組立体３０２の斜視切欠図であり、ジャックハウジング３０６内のコネクタキャビティ３３４、３３６内に装着されたジャックコネクタ３０８、３０９を示す図である。また、保持ロック３１０を、ジャックハウジング３０６のロックチャンバ３８６内に装着した位置に示す。保持ロック３１０の柱３６４は、２つのジャックコネクタ３０８、３０９間に配置される。例示的な実施形態では、柱３６４は、２つのジャックコネクタ３０８、３０９間に延びる軸の２等分線３８８と交差する。
【００４２】
組み立てたとき、保持ロック３１０は、ジャックコネクタ３０８のロック係合表面３４４と係合する。例示的な実施形態では、保持ロック３１０の第１外側脚部３６２は、ジャックコネクタ３０８の外側部分に沿って溝３４６内に配置され、保持ロック３１０の柱３６４は、ジャックコネクタ３０８の内側部分に沿って溝３４６内に配置される。このようにして、保持ロック３１０は、ジャックハウジング３０６内でジャックコネクタ３０８を保持する。例示的な実施形態では、第１外側脚部３６２は、ジャックハウジング３０６の一次保持機構３４０（図１０に示す）を補う二次ロック機構として動作する。
【００４３】
図１１はまた、ロック係合表面３５２と係合して第２ジャックコネクタ３０９を第２コネクタキャビティ３３６内でロックする一次保持機構３４２（たとえば、一次ラッチ３４２）を示す。一次ラッチ３４２の一部分は、第２外側脚部３６３（図１０に示す）と第２ジャックコネクタ３０９との間に配置される。保持ロック３１０の第２外側脚部３６３は、一次ラッチ３４２を補強して一次ラッチ３４２をロック位置内で保持する。なお、一次ラッチ３４２が外れるのを阻止するために、ロック梁３８２を一次ラッチ３４２と一直線上に並べてもよい。このように、第２外側脚部３６３は二次ロック機構として動作する。
【００４４】
図１２は、プラグ組立体３０４の分解斜視図である。プラグハウジング３１６は、嵌合部４３０およびコネクタ保持部４３２を含む。第１コネクタキャビティ４３４および第２コネクタキャビティ４３６は、嵌合部４３０およびコネクタ保持部４３２を通って延びる。コネクタキャビティ４３４、４３６は、それぞれプラグコネクタ３１８、３１９を受容する。プラグハウジング３１６とプラグ保持ロック３２０は協働して、コネクタキャビティ４３４、４３６内でプラグコネクタ３１８、３１９を保持する。例示的な実施形態では、プラグコネクタ３１８、３１９が互いに位置決めされるように、コネクタキャビティ４３４、４３６は共通の中心線に沿って概ね位置決めされる。
【００４５】
例示的な実施形態では、コネクタ保持部４３２は、プラグコネクタ３１８をコネクタキャビティ４３４内に配置して保持するために、第１コネクタキャビティ４３４内に延びる一次保持機構４４０を含む。以下にさらに詳述するように、一次ラッチ４４２（図１３に示す）によって表される異なるタイプの一次保持機構が、プラグコネクタ３１９を配置して保持するために第２コネクタキャビティ４３６内に延びる。一次保持機構４４０、４４２は、プラグコネクタ３１８、３１９を組込位置内で保持し、プラグ保持ロック３２０と協働して、プラグコネクタ３１８、３１９をそれぞれのコネクタキャビティ４３４、４３６内でロックする。
【００４６】
図示の実施形態では、第１プラグコネクタ３１８は、ＳＭＢ型コネクタによって表される。第１プラグコネクタ３１８は、保持ロック３２０および／または一次保持機構４４０と係合するように構成されたロック係合表面４４４を含む。第１プラグコネクタ３１８は、円周溝４４６を含む。第２プラグコネクタ３１９は、プラグ・ワイヤ端子型コネクタによって表される。第２プラグコネクタ３１９は、圧着接続などによってワイヤ端部に終端される。プラグコネクタ３１９はコネクタ本体４５０を含み、コネクタ本体４５０はその後端部近傍にロック係合表面４５２を有する。プラグコネクタ３１９は、本体４５０の前部にソケット４５４を含む。ソケット４５４は、ジャックコネクタ３０９（図１０に示す）と嵌合するように構成される。
【００４７】
保持ロック３２０は、下梁４６０、第１外側脚部４６２および第２外側脚部４６３、ならびに分割中央柱４６４を含む。第１外側脚部４６２は、略弓形の内側表面４６６および略弓形の外側表面４６８を有する。外側表面４６８は、プラグハウジング３１６に結合されたときにプラグハウジング３１６の形状を補完するような形状となっている。第１外側脚部４６２と柱４６４は協働して、プラグハウジング３１６内でプラグコネクタ３１８を固定する。分割中央柱４６４は、隣接する２つの中梁４７０を含む。中梁４７０は、下梁４６０に対して垂直に、上部ラッチ４７２まで延びる。中梁４７０は、互いの方へ屈曲可能である。各上部ラッチ４７２は、上側傾斜表面４７４およびラッチ表面４７６を含む。
【００４８】
第２外側脚部４６３は、上部ラッチ４８０を有するラッチ脚部４７８と、ロック梁４８２とを含む。ロック梁４８２は、下梁４６０に隣接する第１区域４８４と、第２区域４９０とを有する。第１区域４８４は、ラッチ脚部４７８における第１端部４８６から下梁４６０と平行に第２端部４８８まで延びる。第２区域４９０は、第２端部４８８から下梁４６０の方へ延びる。
【００４９】
保持ロック３２０は、下梁４６０内に形成された２つのスロット４９２を含む。スロット４９２は、外側脚部４６２と柱４６４との間、および外側脚部４６３と柱４６４との間に配置される。図示の実施形態では、スロット４９２は、柱４６４に隣接して配置される。スロット４９２は、プラグハウジング３１６のレールと位置整合するように配置される。これらのレールは、ジャックハウジング１０６のレール２１６（図３に示す）に類似している。
【００５０】
図１３は、プラグ組立体３０４の斜視切欠図であり、プラグハウジング３１６内のコネクタキャビティ４３４、４３６内に装着されたプラグコネクタ３１８、３１９を示す図である。また、保持ロック３２０を、プラグハウジング３１６のロックチャンバ４９４内に装着した位置に示す。保持ロック３２０の柱４６４は、２つのプラグコネクタ３１８、３１９間に配置される。例示的な実施形態では、柱４６４は、２つのプラグコネクタ３１８、３１９間に延びる軸の２等分線４９６と交差する。
【００５１】
組み立てたとき、保持ロック３２０は、プラグコネクタ３１８のロック係合表面４４４と係合する。例示的な実施形態では、保持ロック３２０の第１外側脚部４６２は、プラグコネクタ３１８の外側部分に沿って溝４４６内に配置され、保持ロック３２０の柱４６４は、プラグコネクタ３１８の内側部分に沿って溝４４６内に配置される。このようにして、保持ロック３２０は、プラグハウジング３１６内でプラグコネクタ３１８を保持する。例示的な実施形態では、第１外側脚部４６２は、プラグハウジング３１６の一次保持機構４４０（図１０に示す）を補う二次ロック機構として動作する。
【００５２】
図１３はまた、ロック係合表面４５２と係合して第２プラグコネクタ３１９を第２コネクタキャビティ４３６内でロックする一次保持機構４４２（たとえば、一次ラッチ４４２）を示す。一次ラッチ４４２の一部分は、第２外側脚部４６３のロック梁４８８と第２プラグコネクタ３１９との間に配置される。保持ロック３２０のロック梁４８８は、一次ラッチ４４２を補強して一次ラッチ４４２をロック位置内で保持する。このように、第２外側脚部４６３は、二次ロック機構として動作する。保持ロック３２０がプラグハウジング３１６内に組み込まれると、第２外側脚部４６３の第２区域４９０は、プラグ・ワイヤ端子コネクタ３１９の表面を係止して、プラグ・ワイヤ端子コネクタ３１９が偶発的に取り外されるのを防止する。
【００５３】
図１４は、プラグ組立体３０４の正面図であり、プラグ組立体３０４の嵌合面を示す。例示的な実施形態では、プラグコネクタ３１８、３１９のそれぞれのコネクタ中心線は互いに位置合わせされる。軸の２等分線４９６は、コネクタ中心線間に延びる。例示的な実施形態では、プラグ組立体３０４の外周は、プラグ組立体１０４（図１に示す）の外周に実質上類似している。したがって、両方の組立体１０４、３０４を製造する工具も類似したものとすることができる。さらに、組立体１０４、３０４の取付けも類似したものとすることができる。たとえば、組立体１０４、３０４をパネルの開口部内に取り付けることができ、組立体１０４、３０４はどちらも、同じパネル開口部内で嵌合するように構成される。
【００５４】
図１５は、別の代替電気コネクタシステム５００の組立後の底面斜視図であり、代替ジャック組立体５０２および代替プラグ組立体５０４を示す図である。ジャック組立体５０２とプラグ組立体５０４はともに嵌合されて、それらの間に電気的接続を形成する。ジャック組立体５０２は、ジャックハウジング５０６と、ジャックハウジング５０６内に受容されたジャックコネクタ５０７、５０８、５０９（図１６に示す）とを含む。ジャックコネクタ５０７、５０８、５０９は、ワイヤ端部にケーブルで取り付け、または終端させることができる。ジャックハウジング５０６内でジャックコネクタ５０７、５０８、５０９を固定するために、ジャック保持ロック５１０が使用される。プラグ組立体５０４は、プラグハウジング５１６と、プラグハウジング５１６内に受容された複数のプラグコネクタ５１７、５１８、５１９（図１８に示す）とを含む。プラグコネクタ５１７、５１８、５１９は、ワイヤの端部にケーブルで取り付け、または終端させることができる。プラグハウジング５１６内でプラグコネクタ５１７、５１８、５１９を固定するために、プラグ保持ロック５２０が使用される。
【００５５】
コネクタシステム５００は、ジャック組立体５０２およびプラグ組立体５０４が、それぞれ３つのジャックコネクタ５０７、５０８、５０９および３つのプラグコネクタ５１７、５１８、５１９を有することを除き、図９に示すコネクタシステム３００に類似している。例示的な実施形態では、ジャック組立体５０２は、外側コネクタとして２つのＳＭＢ型コネクタと、単一のワイヤ端子型コネクタとを含む。同様に、プラグ組立体５０４は、外側コネクタとして２つのＳＭＢ型コネクタと、単一のワイヤ端子型コネクタとを含む。したがって、保持ロック５１０および５２０が保持ロック３１０、３２０（図９に示す）と同様に動作する場合でも、ジャックハウジング５０６およびプラグハウジング５１６の構成はジャックハウジング３０６およびプラグハウジング３１６（図９に示す）とは異なり、保持ロック５１０、５２０の構成は保持ロック３１０、３２０の構成とは異なる。
【００５６】
図１６は、ジャック組立体５０２の分解斜視図である。ジャックハウジング５０６は、嵌合部５３０およびコネクタ保持部５３２を含む。第１コネクタキャビティ５３４、第２コネクタキャビティ５３６、および第３コネクタキャビティ５３８は、嵌合部５３０およびコネクタ保持部５３２を通って延びる。コネクタキャビティ５３４、５３６、５３８は、それぞれジャックコネクタ５０７、５０８、５０９を受容する。ジャックハウジング５０６とジャック保持ロック５１０は協働して、コネクタキャビティ５３４、５３６、５３８内でジャックコネクタ５０７、５０８、５０９を保持する。例示的な実施形態では、ジャックコネクタ５０７、５０８、５０９が互いに位置決めされるように、コネクタキャビティ５３４、５３６、５３８は共通の中心線に沿って概ね位置決めされる。例示的な実施形態では、第１コネクタキャビティ５３４および第３コネクタキャビティ５３８は実質上互いに同一であり、第２コネクタキャビティ５３６の両側に配置される。第２コネクタキャビティ５３６は、第１コネクタキャビティ５３４および第３コネクタキャビティ５３８とは異なる。
【００５７】
例示的な実施形態では、コネクタ保持部５３２は、第１ジャックコネクタ５０７および第３ジャックコネクタ５０９をそれぞれコネクタキャビティ５３４、５３８内に配置して保持するために、一次保持機構５４０を含む。一次保持機構５４０は、第１コネクタキャビティ５３４および第３コネクタキャビティ５３８内に延びる。図示の実施形態では、第１ジャックコネクタ５０７および第３ジャックコネクタ５０９は、ハウジング５０６の外縁部近傍に配置される外側のジャックコネクタを画定する。以下にさらに詳述するように、一次ラッチ５４２（図１７に示す）によって表される異なるタイプの一次保持機構が、第２ジャックコネクタ５０８を配置して保持するために第２コネクタキャビティ５３６内に延びる。第２ジャックコネクタ５０８は、外側のジャックコネクタ５０７、５０９間に概ね位置決めされる中央のジャックコネクタを画定する。中央のジャックコネクタ５０８を、外側のジャックコネクタ５０７、５０９に対して上側または下側のいずれかへオフセット配置してもよい。中央のジャックコネクタ５０８を、ハウジング５０６の外縁部間で必ずしも中央に配置する必要はない。一次保持機構５４０、５４２は、ジャックコネクタ５０７、５０８、５０９を組込位置内で保持し、ジャック保持ロック５１０と協働して、ジャックコネクタ５０７、５０８、５０９をそれぞれのコネクタキャビティ５３４、５３６、５３８内でロックする。
【００５８】
図示の実施形態では、第１ジャックコネクタ５０７および第３ジャックコネクタ５０９は、ＳＭＢ型コネクタによって表される。なお、第１ジャックコネクタ５０７および第３ジャックコネクタ５０９は、実質上互いに同一であってもよい。以下の説明では、第１ジャックコネクタ５０７に焦点をおくが、第３ジャックコネクタ５０９は類似の機構を含むことが理解される。第１ジャックコネクタ５０７は、保持ロック５１０および／または一次保持機構５４０と係合するように構成されたロック係合表面５４４を含む。第１ジャックコネクタ５０７は、円周溝５４６を含む。
【００５９】
第２ジャックコネクタ５０８は、ジャック・ワイヤ端子型コネクタによって表される。第２ジャックコネクタ５０８は、圧着接続などによってワイヤ端部に終端される。ジャックコネクタ５０８はコネクタ本体５５０を含み、コネクタ本体５５０はその後端部近傍にロック係合表面５５２を有する。ジャックコネクタ５０８は、本体５５０の前部から延びるピン５５４を含む。ピン５５４は、プラグコネクタ５１８（図１８に示す）と嵌合するように構成される。
【００６０】
保持ロック５１０は、下梁５５６と、第１外側脚部５５８および第２外側脚部５６０と、１対の分割中央柱５６２と、中央柱５６２間に延びる中央脚部５６４とを含む。外側脚部５５８、５６０は、略弓形の内側表面５６６および略弓形の外側表面５６８を有する。外側表面５６８および下梁５５６は、ジャックハウジング５０６に結合されたときにジャックハウジング５０６の形状を補完するような形状となっている。第１外側脚部５５８と一方の柱５６２は協働して、ジャックハウジング５０６内で第１ジャックコネクタ５０７を固定する。第２外側脚部５６０と他方の柱５６２は協働して、ジャックハウジング５０６内で第３ジャックコネクタ５０９を固定する。中央脚部５６４は、下梁５５６と平行に延びる。分割中央柱５６２はそれぞれ、隣接する２つの中梁５７０を含む。中梁５７０は、下梁５５６に対して垂直に、上部ラッチ５７２まで延びる。中梁５７０は、互いの方へ屈曲可能である。各上部ラッチ５７２は、上側傾斜表面５７４およびラッチ表面５７６を含む。
【００６１】
保持ロック５１０は、下梁５５６内に形成された２つのスロット５７８を含む。スロット５７８は、外側脚部５５８と柱５６２との間、および外側脚部５６０と柱５６２との間に配置される。図示の実施形態では、スロット５７８は、柱５６２に隣接して配置される。スロット５７８は、ジャックハウジング５０６のレールと位置整合するように配置される。これらのレールは、ジャックハウジング１０６のレール２１６（図３に示す）に類似している。
【００６２】
図１７は、ジャック組立体５０２の斜視切欠図であり、ジャックハウジング５０６内のコネクタキャビティ５３４、５３６、５３８内に装着されたジャックコネクタ５０７、５０８、５０９を示す図である。また、保持ロック５１０を、ジャックハウジング５０６のロックチャンバ５８０内に装着した位置に示す。保持ロック５１０の柱５６２は、ジャックコネクタ５０７、５０８、５０９のそれぞれの間に配置される。たとえば、一方の柱５６２が第１ジャックコネクタ５０７と第２ジャックコネクタ５０８との間に位置し、他方の柱５６２が第２ジャックコネクタ５０８と第３ジャックコネクタ５０９との間に位置する。例示的な実施形態では、柱５６２は、隣接するジャックコネクタ５０７、５０８および隣接するジャックコネクタ５０８、５０９間にそれぞれ延びる、軸の２等分線５８２、５８４それぞれと交差する。
【００６３】
組み立てたとき、保持ロック５１０は、ジャックコネクタ５０７、５０９のロック係合表面５４４と係合する。例示的な実施形態では、保持ロック５１０の第１外側脚部５５８は、ジャックコネクタ５０７の外側部分に沿って溝５４６内に配置され、保持ロック５１０の柱５６２は、ジャックコネクタ５０７の内側部分に沿って溝５４６内に配置される。このようにして、保持ロック５１０は、ジャックハウジング５０６内でジャックコネクタ５０８を保持する。例示的な実施形態では、第１外側脚部５５８は、ジャックハウジング５０６の一次保持機構５４０を補う二次ロック機構として動作する。保持ロック５１０は、第３ジャックコネクタ５０９を同様の方法で保持するように動作する。
【００６４】
図１７はまた、ロック係合表面５５２と係合して第２ジャックコネクタ５０８を第２コネクタキャビティ５３６内でロックする一次保持機構５４２（たとえば、一次ラッチ５４２）を示す。一次ラッチ５４２の一部分は、中央脚部５６４（図１６に示す）と第２ジャックコネクタ５０８との間に配置される。保持ロック５１０の中央脚部５６４は、一次ラッチ５４２を補強して一次ラッチ５４２をロック位置内で保持する。このように、中央脚部５６４は、二次ロック機構として動作する。
【００６５】
図１８は、プラグ組立体５０４の分解斜視図である。プラグハウジング５１６は、嵌合部６３０およびコネクタ保持部６３２を含む。第１コネクタキャビティ６３４、第２コネクタキャビティ６３６、および第３コネクタキャビティ６３８は、嵌合部６３０およびコネクタ保持部６３２を通って延びる。コネクタキャビティ６３４、６３６、６３８は、それぞれプラグコネクタ５１７、５１８、５１９を受容する。プラグハウジング５１６とプラグ保持ロック５２０は協働して、コネクタキャビティ６３４、６３６、６３８内でプラグコネクタ５１７、５１８、５１９を保持する。例示的な実施形態では、プラグコネクタ５１７、５１８、５１９が互いに位置決めされるように、コネクタキャビティ６３４、６３６、６３８は共通の中心線に沿って概ね位置決めされる。例示的な実施形態では、第１コネクタキャビティ６３４および第３コネクタキャビティ６３８は実質上互いに同一であり、第２コネクタキャビティ６３６の両側に配置される。第２コネクタキャビティ６３６は、第１コネクタキャビティ６３４および第３コネクタキャビティ６３８とは異なる。
【００６６】
例示的な実施形態では、コネクタ保持部６３２は、外側のプラグコネクタ５１７、５１９をそれぞれコネクタキャビティ６３４、６３８内に配置して保持するために、第１コネクタキャビティ６３４および第３コネクタキャビティ６３８内に延びる一次保持機構６４０を含む。以下にさらに詳述するように、一次ラッチ６４２（図２０に示す）によって表される異なるタイプの一次保持機構が、中央のプラグコネクタ５１８を配置して保持するために第２コネクタキャビティ６３６内に延びる。一次保持機構は、プラグコネクタ５１７、５１８、５１９を組込位置内で保持し、プラグ保持ロック５２０と協働して、プラグコネクタ５１７、５１８、５１９をそれぞれのコネクタキャビティ６３４、６３６、６３８内でロックする。
【００６７】
図示の実施形態では、第１プラグコネクタ５１７および第３プラグコネクタ５１９は、ＳＭＢ型コネクタによって表される。なお、第１プラグコネクタ５１７および第３プラグコネクタ５１９は、実質上互いに同一であってもよい。以下の説明では、第１プラグコネクタ５１７に焦点を合わせるが、第３プラグコネクタ５１９は類似の機構を含むことが理解される。第１プラグコネクタ５１７は、保持ロック５２０および／または一次保持機構と係合するように構成されたロック係合表面６４４を含む。第１プラグコネクタ５１７は、円周溝６４６を含む。
【００６８】
第２プラグコネクタ５１８は、プラグ・ワイヤ端子型コネクタによって表される。第２プラグコネクタ５１８は、圧着接続などによってワイヤ端部に終端される。プラグコネクタ５１８はコネクタ本体６５０を含み、コネクタ本体６５０はその後端部近傍にロック係合表面６５２を有する。プラグコネクタ５１８は、本体６５０の前部にソケット６５４を含む。ソケット６５４は、第２ジャックコネクタ５０８（図１６に示す）と嵌合するように構成される。
【００６９】
保持ロック５２０は、下梁６５６と、第１外側脚部６５８および第２外側脚部６６０と、１対の分割中央柱６６２と、中央柱６６２間に延びる中央脚部６６４とを含む。図示の実施形態では、保持ロック５２０は、本体把持設備６６５を含む。外側脚部６５８、６６０は、略弓形の内側表面６６７および略弓形の外側表面６６８を有する。外側表面６６８および下梁６５６は、プラグハウジング５１６に結合されたときにプラグハウジング５１６の形状を補完するような形状となっている。第１外側脚部６５８と一方の柱６６２は協働して、プラグハウジング５１６内で第１プラグコネクタ５１７を固定する。第２外側脚部６６０と他方の柱６６２は協働して、プラグハウジング５１６内で第３プラグコネクタ５１９を固定する。中央脚部６６４は、下梁６５６と平行に延びる。分割中央柱６６２は、隣接する２つの中梁６７０を含む。中梁６７０は、下梁６５６に対して垂直に、上部ラッチ６７２まで延びる。中梁６７０は、互いの方へ屈曲可能である。各上部ラッチ６７２は、上側傾斜表面６７４およびラッチ表面６７６を含む。
【００７０】
保持ロック５２０は、下梁６５６内に形成された２つのスロット６７８を含む。スロット６７８は、外側脚部６５８と柱６６２との間、および外側脚部６６０と柱６６２との間に配置される。図示の実施形態では、スロット６７８は、柱６６２に隣接して配置される。スロット６７８は、プラグハウジング５１６のレール６８４（図１９に示す）と位置整合するように配置される。
【００７１】
図１９は、プラグ組立体５０４（図１５に示す）におけるプラグハウジング５１６の底面斜視図である。プラグハウジング５１６のコネクタ保持部６３２はスロット６８０を含み、スロット６８０は、プラグハウジング５１６内に画定されたロックチャンバ６８２に通じている。ロックチャンバ６８２は、コネクタキャビティ６３４、６３６、６３８のそれぞれに通じている。スロット６８０は、コネクタキャビティ６３４、６３６、６３８の中心軸に対して垂直に、プラグハウジング５１６を横切って延びる。例示的な実施形態では、スロット６８０は、３つのコネクタキャビティ６３４、６３６、６３８すべてにわたって延びる。プラグハウジング５１６は、中心軸の方向にスロット６８０を横切って延びる少なくとも１つのレール６８４を含む。図示の実施形態では、プラグハウジング５１６は、第１プラグコネクタ５１７および第３プラグコネクタ５１９（図１８に示す）を支持するために、それぞれ第１コネクタキャビティ６３４および第３コネクタキャビティ６３８を横切って延びる２つのレール６８４を含む。なお、これらのレールは、コネクタキャビティ６３４、６３８のそれぞれの中心線から内方にオフセット配置してもよい以下にさらに説明するように、レール６８４は、プラグコネクタ５１７、５１９および／またはプラグ保持ロック５２０をプラグハウジング５１６内に取り付けるのに役立つ。
【００７２】
図２０は、プラグ組立体５０４の斜視切欠図であり、プラグハウジング５１６内のコネクタキャビティ６３４、６３６、６３８内に装着されたプラグコネクタ５１７、５１８、５１９を示す図である。また、保持ロック５２０を、プラグハウジング５１６のロックチャンバ６８２内に装着した位置に示す。保持ロック５２０の柱６６２は、プラグコネクタ５１７、５１８、５１９のそれぞれの間に配置される。たとえば、一方の柱６６２が第１プラグコネクタ５１７と第２プラグコネクタ５１８との間に位置し、他方の柱６６２が第２プラグコネクタ５１８と第３プラグコネクタ５１９との間に位置する。例示的な実施形態では、柱６６２は、隣接するプラグコネクタ５１７、５１８および５１８、５１９間にそれぞれ延びる軸の２等分線６９２、６９４それぞれと交差する。
【００７３】
組み立てたとき、保持ロック５２０は、プラグコネクタ５１７、５１９のロック係合表面６４４と係合する。例示的な実施形態では、保持ロック５２０の第１外側脚部６５８は、プラグコネクタ５１７の外側部分に沿って溝６４６内に配置され、保持ロック５２０の柱６６２は、プラグコネクタ５１７の内側部分に沿って溝６４６内に配置される。このようにして、保持ロック５２０は、プラグハウジング５１６内でプラグコネクタ５１７を保持する。例示的な実施形態では、第１外側脚部６５８は、プラグハウジング５１６の一次保持機構を補う二次ロック機構として動作する。保持ロック５２０は、第３プラグコネクタ５１９を同様の方法で保持するように動作する。
【００７４】
図２０はまた、ロック係合表面６５２と係合して第２プラグコネクタ５１８を第２コネクタキャビティ６３６内でロックする一次保持機構６４２（たとえば、一次ラッチ６４２）を示す。一次ラッチ６４２の一部分は、中央脚部６６４（図１８に示す）と第２プラグコネクタ５１８との間に配置される。保持ロック５２０の中央脚部６６４は、一次ラッチ６４２を補強して一次ラッチ６４２をロック位置内で保持する。このように、中央脚部６６４は、二次ロック機構として動作する。
【００７５】
プラグコネクタを有するプラグ組立体およびジャックコネクタを有するジャック組立体を含む電気コネクタシステムが提供される。各組立体は、互いに位置決めさせた複数のコネクタを含む。各コネクタの中心線は、互いに位置合わせされる。なお、組立体は、少なくとも１つのＳＭＢ型コネクタを含んでもよい。いくつかの実施形態では、ＳＭＢ型コネクタだけを含む。他の実施形態では、ＳＭＢコネクタ（複数可）に加えて、ケーブル端部に終端されたワイヤ端子型コネクタなど、他のタイプのコネクタを含む。組立体はそれぞれ、各コネクタに対して一次保持機構を含む。なお、一次保持機構は、キャビティ内に延びてコネクタを保持するラッチとしてもよい。組立体はそれぞれ、一次保持機構を補強する二次ロック機構として機能する保持ロックを含む。二次ロック機構は、コネクタと直接係合することができ、もしくは、コネクタをキャビティ内で確実にロックするために一次保持機構を補強するものであってもよい。例示的な実施形態では、ＳＭＢ型のコネクタはそれぞれ溝を含み、保持ロックはこの溝に嵌合して、それぞれのキャビティ内でコネクタを固定する。保持ロックをハウジング内で固定するために、保持ロックは、少なくとも１つの分割梁柱を含む。分割梁柱は、それぞれのハウジングにおけるロックチャンバ内に受容される上部ラッチを有する。分割梁柱は、隣接するコンタクト間に延びる。各ハウジングはスロットを含み、このスロットを通って保持ロックが装着される。また各スロットは、スロットを横切って延びる少なくとも１つのレールを含む。レールは、それぞれのキャビティ内でコネクタを支持して、キャビティ内でコネクタを保持し、コネクタがスロット内に落ち込むのを防止する。コネクタがスロット内に落ち込むと、キャビティ内でコネクタの位置ずれが生じ、および／または保持ロックがロックチャンバ内に装着されないだろう。
【００７６】
上記の説明は例示的なものであり、本発明を限定するものではないことを理解されたい。たとえば、前述の実施形態（および／またはそれらの態様）を互いに組み合わせて使用することができる。さらに、本発明の範囲から逸脱することなく、特定の状況または材料を本発明の教示に適合させるために、多くの修正を加えることができる。本願に記載の寸法、材料の種類、様々な構成要素の向き、ならびに様々な構成要素の数および位置は、特定の実施形態のパラメータを規定するものであり、決して本発明を限定するものではなく、単なる例示的な実施形態にすぎない。上述した説明を参照すれば、特許請求の範囲の精神およびその範囲内で、他の多くの実施形態および修正形態が当業者には明らかになるであろう。したがって、本発明の範囲は、添付の特許請求の範囲を参照して決定されるべきであり、その際にはそのような特許請求の範囲に対して認められる均等物の全範囲も参照される。添付の特許請求の範囲では、「含む（ｉｎｃｌｕｄｉｎｇ）」および「そこにおいて（ｉｎ  ｗｈｉｃｈ）」という用語は、それぞれ「含む（ｃｏｍｐｒｉｓｉｎｇ）」および「そこにおいて（ｗｈｅｒｅｉｎ）」という用語の平易な英語として使用されるが、意味は等しい。さらに、以下の特許請求の範囲では、「第１」、「第２」、および「第３」などの用語は単なる標識として使用されるにすぎず、これらの用語の対象に数値的な要件を課すものではない。さらに、以下に示す特許請求の範囲の限定は、ミーンズ・プラス・ファンクション形式で記載されたものではない。当該限定が「手段（ｍｅａｎｓ  ｆｏｒ）」というフレーズを明示的に使用し、かつ、さらなる構造を欠いたまま機能（ファンクション）についての言及が当該フレーズに続かない限り、米国特許法（３５  Ｕ．Ｓ．Ｃ．）第１１２条の第６段落に基づいて解釈されるものではない。
【符号の説明】
【００７７】
１００・・・電気コネクタシステム（２位置コネクタシステム）
１０２・・・電気コネクタ組立体（ジャック組立体）
１０４・・・電気コネクタ組立体（プラグ組立体）
１０６・・・ハウジング（ジャックハウジング）
１０８・・・コネクタ（ジャックコネクタ、ＳＭＢコネクタ）
１１０・・・保持ロック（ジャック保持ロック）
１１２・・・挿入軸（コネクタ挿入軸）
１１６・・・ハウジング（プラグハウジング）
１１８・・・コネクタ（プラグコネクタ、ＳＭＢコネクタ）
１２０・・・保持ロック（プラグ保持ロック）
１２２・・・挿入軸（コネクタ挿入軸）
１３４・・・キャビティ（コネクタキャビティ）
１４０・・・一次保持機構
１５４・・・係合表面（ロック係合表面）
１８０・・・一次保持機構
１９４・・・係合表面（ロック係合表面）
２１０・・・スロット
２１２・・・ロックチャンバ
２１６・・・レール
２３２・・・外側脚部（第１外側脚部）
２３３・・・外側脚部（第２外側脚部）
２３４・・・分割中央柱
２４０・・・中梁
２４２・・・上部ラッチ
２４８・・・スロット
２６２・・・外側脚部（第１外側脚部）
２６３・・・外側脚部（第２外側脚部）
２６４・・・分割中央柱
２７０・・・中梁
２７２・・・上部ラッチ
２７８・・・スロット
２９０・・・第１区域
２９２・・・第２区域
２９４・・・棚部
３００・・・電気コネクタシステム
３０２・・・電気コネクタ組立体（ジャック組立体）
３０４・・・電気コネクタ組立体（プラグ組立体）
３０６・・・ハウジング（ジャックハウジング）
３０８・・・コネクタ（ジャックコネクタ、第１ジャックコネクタ、ＳＭＢコネクタ）
３０９・・・コネクタ（第２ジャックコネクタ、ワイヤ端子コネクタ）
３１０・・・保持ロック（ジャック保持ロック）
３１６・・・ハウジング（プラグハウジング）
３１８・・・コネクタ（プラグコネクタ、第１プラグコネクタ、ＳＭＢコネクタ）
３１９・・・コネクタ（プラグコネクタ、第２プラグコネクタ、ワイヤ端子コネクタ）
３２０・・・保持ロック（プラグ保持ロック）
３３４・・・キャビティ（第１コネクタキャビティ、コネクタキャビティ）
３３６・・・キャビティ（第２コネクタキャビティ、コネクタキャビティ）
３４０・・・一次保持機構
３４２・・・一次保持機構（一次ラッチ）
３４４・・・係合表面（ロック係合表面）
３５２・・・係合表面（ロック係合表面）
３６２・・・外側脚部（第１外側脚部）
３６３・・・外側脚部（第２外側脚部）
３６４・・・分割中央柱
３７０・・・中梁
３７２・・・上部ラッチ
３８０・・・上部ラッチ
３８２・・・脚部（ロック梁）
３８４・・・スロット
３８６・・・ロックチャンバ
４３４・・・キャビティ（第１コネクタキャビティ、コネクタキャビティ）
４３６・・・キャビティ（第２コネクタキャビティ、コネクタキャビティ）
４４０・・・一次保持機構
４４２・・・一次保持機構（一次ラッチ）
４４４・・・係合表面（ロック係合表面）
４５２・・・係合表面（ロック係合表面）
４６２・・・外側脚部（第１外側脚部）
４６３・・・外側脚部（第２外側脚部）
４６４・・・分割中央柱
４７０・・・中梁
４７２・・・上部ラッチ
４８０・・・上部ラッチ
４９２・・・スロット
４９４・・・ロックチャンバ
５００・・・電気コネクタシステム
５０２・・・電気コネクタ組立体（ジャック組立体）
５０４・・・電気コネクタ組立体（プラグ組立体）
５０６・・・ハウジング（ジャックハウジング）
５０７・・・コネクタ（第１ジャックコネクタ、ジャックコネクタ、ＳＭＢコネクタ）
５０８・・・コネクタ（第２ジャックコネクタ、ジャックコネクタ、ワイヤ端子コネクタ）
５０９・・・コネクタ（第３ジャックコネクタ、ジャックコネクタ、ＳＭＢコネクタ）
５１０・・・保持ロック（ジャック保持ロック）
５１６・・・ハウジング（プラグハウジング）
５１７・・・コネクタ（第１プラグコネクタ、プラグコネクタ、ＳＭＢコネクタ）
５１８・・・コネクタ（第２プラグコネクタ、プラグコネクタ、ワイヤ端子コネクタ）
５１９・・・コネクタ（第３プラグコネクタ、プラグコネクタ、ＳＭＢコネクタ）
５２０・・・保持ロック（プラグ保持ロック）
５３４・・・キャビティ（第１コネクタキャビティ、コネクタキャビティ）
５３６・・・キャビティ（第２コネクタキャビティ、コネクタキャビティ）
５３８・・・キャビティ（第３コネクタキャビティ、コネクタキャビティ）
５４０・・・一次保持機構
５４２・・・一次保持機構（一次ラッチ）
５４４・・・係合表面（ロック係合表面）
５５２・・・係合表面（ロック係合表面）
５５８・・・外側脚部（第１外側脚部）
５６０・・・外側脚部（第２外側脚部）
５６２・・・分割中央柱
５６４・・・脚部（中央脚部）
５７０・・・中梁
５７２・・・上部ラッチ
５７８・・・スロット
５８０・・・ロックチャンバ
６３４・・・キャビティ（第１コネクタキャビティ、コネクタキャビティ）
６３６・・・キャビティ（第２コネクタキャビティ、コネクタキャビティ）
６３８・・・キャビティ（第３コネクタキャビティ、コネクタキャビティ）
６４０・・・一次保持機構
６４２・・・一次保持機構（一次ラッチ）
６４４・・・係合表面（ロック係合表面）
６５２・・・係合表面（ロック係合表面）
６５８・・・外側脚部（第１外側脚部）
６６０・・・外側脚部（第２外側脚部）
６６２・・・分割中央柱
６６４・・・脚部（中央脚部）
６７０・・・中梁
６７２・・・上部ラッチ
６７８・・・スロット
６８０・・・スロット
６８２・・・ロックチャンバ
６８４・・・レール
【図１】
2011503823.tif 000003
【図２】
2011503823.tif 000004
【図３】
2011503823.tif 000005
【図４】
2011503823.tif 000006
【図５】
2011503823.tif 000007
【図６】
2011503823.tif 000008
【図７】
2011503823.tif 000009
【図８】
2011503823.tif 000010
【図９】
2011503823.tif 000011
【図１０】
2011503823.tif 000012
【図１１】
2011503823.tif 000013
【図１２】
2011503823.tif 000014
【図１３】
2011503823.tif 000015
【図１４】
2011503823.tif 000016
【図１５】
2011503823.tif 000017
【図１６】
2011503823.tif 000018
【図１７】
2011503823.tif 000019
【図１８】
2011503823.tif 000020
【図１９】
2011503823.tif 000021
【図２０】
2011503823.tif 000022
【国際調査報告】
2011503823.tif 000023
2011503823.tif 000024